(57)【要約】【課題】重篤性または重要性のレベルを示す視覚的手掛かりを提供する。【解決手段】（ａ）データ点を表示し（４３０）、（ｂ）設定レベルに従って様々な色相で前記データ点を色付けし、（ｃ）前記設定レベル内部の追加規定のレベルに応じて前記色相の濃淡を調整することにより重篤性または重要性のレベルを関連付けするように情報を表示する（４００）。重篤性または重要性のレベルを関連付けするように情報を表示する別の方法（４００）は、（ａ）ある検索パラメータによって多種類の情報システムを照会する工程（４１０）と、（ｂ）前記検索パラメータから戻されたデータ点を単一ウィンドウにして表示する工程（４３０）と、（ｃ）設定レベルに従って様々な色相で前記データ点を色付けする工程（４５０）と、（ｄ）前記設定レベル内部の追加規定のレベルに応じて前記色相の濃淡を調整する工程と、を含む。【選択図】図４
2008210386.tif 000002
【特許請求の範囲】
【請求項１】
重篤性または重要性のレベルを関連付けするように情報を表示する方法（４００）であって、
（ａ）データ点を表示する工程（４３０）と、
（ｂ）設定レベルに従って様々な色相で前記データ点を色付けする工程（４５０）と、
（ｃ）前記設定レベル内部の追加規定のレベルに応じて前記色相の濃淡を調整する工程と、
を含む方法（４００）。
【請求項２】
重要性レベルの上昇を示すために緑色、黄色及び赤色の色相が使用される請求項１に記載の方法（４００）。
【請求項３】
前記設定レベルのレンジがユーザによって入力される、請求項１に記載の方法（４００）。
【請求項４】
前記追加規定のレベルの数がユーザによって入力される、請求項１に記載の方法（４００）。
【請求項５】
前記追加規定のレベルに関するレンジがユーザによって入力される、請求項１に記載の方法（４００）。
【請求項６】
前記様々な色相がユーザによって入力される、請求項１に記載の方法（４００）。
【請求項７】
前記データ点は患者の臨床情報に関連している、請求項１に記載の方法（４００）。
【請求項８】
重篤性または重要性のレベルを関連付けするように情報を表示する方法（４００）であって、
（ａ）ある検索パラメータによって多種類の情報システムを照会する工程（４１０）と、
（ｂ）前記検索パラメータから戻されたデータ点を単一ウィンドウにして表示する工程（４３０）と、
（ｃ）設定レベルに従って様々な色相で前記データ点を色付けする工程（４５０）と、
（ｄ）前記設定レベル内部の追加規定のレベルに応じて前記色相の濃淡を調整する工程と、
を含む方法（４００）。
【請求項９】
前記データ点は患者の臨床情報に関連している、請求項８に記載の方法（４００）。
【請求項１０】
重要性または重篤性のレベルに従って情報を表示するためのシステム（１００）であって、
（ａ）データベース（１１０）と、
（ｂ）ワークリスト（１２０）と、
（ｃ）色相の様々な濃淡を用いて重要性または重篤性のレベルを伝達するインタフェース（１３０）と、
を備えるシステム（１００）。
【発明の詳細な説明】
【技術分野】
【０００１】
本技術分野は全般的には、情報を表示及び描出し、かつ重篤性または重要性のレベルを関連付けする情報システムに関し、また具体的には、患者情報の臨床的重篤性に対する視覚的手掛かりを提供する医療情報システムに関する。
【背景技術】
【０００２】
情報システムは、多種多様なデータ点に関する表示及び／または描出を提供するために多くの産業分野で使用されている。これらのデータ点の大部分はテキストデータとして存在する。こうしたデータ点はあるレンジまたはレベルに維持する必要があることが多い。このためには、ユーザが情報システムを見てそのデータ点が監視または関与を要するか否かを迅速に判定できることが必要となる。ユーザは、各値の正常レンジまたは許容可能なレンジを熟知しているか、これらのレンジを参照するかのいずれかでなければならない。多くの状況では、あるタイプの情報システムに入力される可能性があるあらゆる値の正常レンジを個人が保持していることは実現性がない。しかしまた、時間的制約のためにユーザがその許容可能レンジを参照することも実現性がない。
【０００３】
例えば医療情報システムは現在、バイタルサイン、実験結果、計測値、その他を含む多種多様な患者情報の表示及び描出を提供する。医師、看護師及び病院職員は、各値のレンジを熟知しているか、患者のチャート上にこれらの値が現れたときに正常レンジを参照するかのいずれかでなければならない。情報量が膨大であるため、医療情報システムに入力される可能性があるあらゆる値の正常レンジを個人が保持することは実現性がない。さらに、ある状況では、危険な時間的制約を伴うような即時の対応を要することがあり、この場合は許容可能レンジを定時に参照することはできない。
【０００４】
典型的なやり取りでは、ユーザにメッセージを迅速に伝達するために赤色、黄色及び緑色でマッピングした停止灯（ｓｔｏｐ  ｌｉｇｈｔ）が使用されている。赤色の色付けは、危険レベルまたはネガティブなレベルを示すために使用することができる。黄色の色付けは、注意レベルまたはニュートラルなレベルを示すために使用することができる。緑色の色付けは正常なレベルまたはポジティブなレベルを示している。しかしながら、これらのマッピングで伝えられるのは絶対値だけである。こうした大まかな分類では重篤性または重要性の程度を指示する方法がない。
【０００５】
医療のコンテキストでは、ある危険レベルが即時的な医師の関与を要することがある。これより危険レベルが低い場合に医師に必要なことは、対象者にその状態を伝えるための注意書きやメモを渡すこと程度であることもある。現在のやり方では、絶対値だけが伝達されており、これでは医師による情報提供を受けた上での判断の実施に要する特異性を提供できないことがある。
【発明の開示】
【発明が解決しようとする課題】
【０００６】
したがって、あるデータ点に関する重要性または重篤性の程度を迅速に指示するような情報システムを開発することが望ましい。医療分野では、ある患者情報の重篤性の程度を迅速に指示するような医療情報システムを開発することが望ましい。
【課題を解決するための手段】
【０００７】
重篤性または重要性のレベルを関連付けするように情報を表示する方法は、（ａ）データ点を表示する工程と、（ｂ）設定レベルに従ってデータ点を様々な色相で色付けする工程と、（ｃ）設定レベル内部の追加規定のレベルに応じて前記色相の濃淡を調整する工程と、からなる。
【０００８】
これらの工程は、順序どおりに実行することも、別の順序で実行することもできる。重要性レベルの指示に使用できる幾つかの可能な色相には、緑色、黄色及び赤色が含まれる。設定レベルに関するレンジはユーザによって入力することができる。追加規定のレベルの数もまた、ユーザによって入力することができる。追加規定のレベルに関するレンジはユーザによって入力することができる。本方法内では様々な色相を使用することが可能である。様々な色相をユーザによって入力することができる。データ点は患者の臨床情報に関連させることができる。
【０００９】
重篤性または重要性のレベルを関連付けするように情報を表示する別の方法は、（ａ）ある検索パラメータによって多種類の情報システムを照会する工程と、（ｂ）検索パラメータから戻されたデータ点を単一ウィンドウにして表示する工程と、（ｃ）設定レベルに従ってデータ点を様々な色相で色付けする工程と、（ｄ）設定レベル内部の追加規定のレベルに応じて該色相の濃淡を調整する工程と、からなる。
【００１０】
これらの工程は、順序どおりに実行することも、別の順序で実行することもできる。データ点は患者の臨床情報に関連している。データ点は病院の多種類の部科から取得することができる。
【００１１】
データ点は題目別にカラム小見出しの形に編成することができる。このカラム小見出しはメタデータを表示することができる。このメタデータは、ロールオーバー（ｒｏｌｌ  ｏｖｅｒ）機能を用いて表示させることができる。カラム小見出しはまた、データ点をフィルタリングすることもできる。フィルタリング済みのデータ点は色相に従ってソートすることができる。ユーザは、動的なキーストロークを用いてデータ点をフィルタリングすることができる。ユーザは別法として、ドロップダウンメニューを用いてデータ点をフィルタリングすることも可能である。
【００１２】
重要性または重篤性のレベルに従って情報を表示するためのシステムは、データベースと、ワークリストと、色相の様々な濃淡を用いて重要性または重篤性のレベルを伝達するインタフェースと、からなる。
【００１３】
本発明に関するこれらの特徴及びその他の特徴は、以下の詳細な説明において検討する、あるいは該説明で明らかとなろう。
【発明を実施するための最良の形態】
【００１４】
本開示は、あるデータ点の重要性または重篤性の程度を指示する情報を伝達するための情報システム及び方法に関する。一例として医療情報システムを用いているが、本開示は医療関連の情報システムに限定されるものと見なすべきではない。
【００１５】
図１は、本発明の一実施形態による重要性または重篤性のレベルに従って情報を表示するためのシステム１００を表している。本システムは、データベースまたは多種データベース１１０と、ワークリストまたはブラウザ１２０と、インタフェース１３０と、ユーザ１４０と、を含む。
【００１６】
１つまたは複数のデータベース１１０とワークリストまたはブラウザ１２０とは互いに双方向の通信が可能である。ワークリストまたはブラウザ１２０もインタフェース１３０との通信、並びにこの逆の通信が可能である。インタフェース１３０はユーザ１４０と通信することが可能である。また最終的にユーザ１４０はインタフェース１３０と通信することが可能である。
【００１７】
動作時において、データベースまたは多種データベース１１０は情報またはデータ点を包含している。このデータ点は、ある部科全体、ある部科の一部、あるいは関連施設内部の多数の部科に関することがある。医療施設において例示的な部科には、放射線科、心臓科、薬剤科、投薬科、腫瘍科、小児科、物理療法科及び検査科情報が含まれる。これらのデータベース内に保存されるデータ点の例には、患者のバイタル情報、投薬、検査結果及び医療履歴を含むことが可能である。
【００１８】
ワークリストまたはブラウザ１２０はデータベースまたは多種データベース１１０に対して照会を出し、次いでそのデータベース１１０からのデータを集約する。例えばワークリストまたはブラウザ１２０はある患者に関して多種類の病院システムのすべてに対して照会を出すことが可能である。データベースは当該の患者に関する情報を戻すことになる。次いでワークリストまたはブラウザ１２０は当該の患者に関するデータ点を集約することになる。当該の患者に関する情報のすべてを編集してすぐに利用できる状態にさせる。
【００１９】
一実施形態では、データベース１１０は「プル」モデルにおいてワークリストまたはブラウザ１２０によって情報が必要になったときにアクセスを受けることがある。別の実施形態ではそのデータベース１１０は、データベース１１０内の情報に何らかの変更が起こったときにワークリストまたはブラウザ１２０に対して「プッシュ」モデルで情報を提供することがある。
【００２０】
次にワークリストまたはブラウザ１２０はデータを単一の対話式ウィンドウまたはインタフェース１３０の形に集約する。インタフェース１３０はユーザ１４０に対してデータ点のある部分または全部を伝達することがある。インタフェース１３０は表示デバイスを含むことがある。ユーザ１４０の迅速な解釈及び理解のためにこのデータ点は表示される。
【００２１】
可能な表示デバイスには、コンピュータ画面、ポータブルコンピュータ、タブレットコンピュータ、及び／または個人用携帯情報機器（ＰＤＡ）が含まれる。インタフェース１３０は入力デバイスを含むことがある。例えばその入力デバイスは、キーボード、タッチ式画面、ジョイスティック、マウス、タッチパッド及びマイクロフォンのうちの１つまたは幾つかを含むことがある。
【００２２】
医療情報システムなどの情報システム１００は、多様な多種類の情報システムから、ある種のトピック（例えば、ある患者）に関するデータ点のフル表示を達成することができる。ワークリストまたはブラウザ１２０は多種類の情報システムに照会を出し、そのデータをある具体的な検索による結果及びデータ点を表示する単一の対話式ウィンドウの形に集約する。健康産業ではそのワークリストまたはブラウザ１２０は業務病院システム（ｅｎｔｅｒｐｒｉｓｅ  ｈｏｓｐｉｔａｌ  ｓｙｓｔｅｍ）に対してある患者の情報を照会することになる。業務病院システムの幾つかの例には、放射線科、心臓科、薬剤科、投薬科、及び検査科情報が含まれる。次いでこのワークリストまたはブラウザは、そのデータをある具体的な患者検索に関する結果及びデータ点を表示する単一の対話式ウィンドウの形に集約する。
【００２３】
上で検討したようにこれらのデータ点は、あるデータ点に関する重要性または重篤性の程度をディスプレイが迅速に指示するような方式で表示させることが望ましい。データ点は従来、ユーザに対してメッセージを伝達するために赤色、黄色及び緑色でマッピングした停止灯によって表されてきた。しかしながら、これらのマッピングが伝えられるのは絶対値だけである。多くの状況では、ユーザはこうしたシステムが提供するより高い細分性（ｇｒａｎｕｌａｒｉｔｙ）を求める。
【００２４】
図２は、色相コード化２１０を伴わずにデータ点を伝達する患者情報システムを表している。この表示では、どのデータ点が監視または関与を要求しているのかをユーザ（例えば、医師やその他の病院従事者）が一目で迅速に解釈することは極めて困難である。図２は、情報システムにおいてデータ点の重要性または重篤性に関する視覚的手掛かりを提供することの要望を表している。このことは、医療産業など情報が迅速に監視されかつ評価されるような産業分野において特に言えることである。
【００２５】
ある種の実施形態は、データ点の重篤性または重要性に応じて異なるデータ点を色付けするために、赤色、黄色及び緑色などの標示色相に関して様々な濃淡を利用する。濃淡の明るさや暗さによってそのデータ点の重要性が指示される。例えば、正常なレベルの重篤性または重要性は緑色によって指示することができ、若干低いレベルは明るい緑色で指示することができ、若干高いレベルは暗い緑色で指示することができ、警戒レベルは黄色で指示することができ、軽度警戒レベルは明るい黄色で指示することができ、危険レベルは赤色で指示することができ、軽度危険レベルは明るい赤色で指示することができ、また極度の危険レベルは暗い赤色で指示することができる。このシステムによれば、標準的な赤色、黄色、緑色のシステムと比べてより高い細分性及び精度が可能となる。
【００２６】
図３は、患者の情報３１０に対応するように付与されたデータ点に対する色相コード化を使用している患者情報システム３００を表している。一目見ただけでユーザ（例えば、医師その他の看護提供者）は、どの項目が正常（緑色で指示）３２０、警戒（黄色で指示）、危険（赤色で指示）３３０、軽度警戒（明るい黄色で指示）３５０及び軽度危険（明るい赤色で指示）３４０であるかを決定することが可能である。
【００２７】
本システムは、本発明の一実施形態によりユーザが様々なレベルに関するレンジを入力できるように構成することが可能である。これによってユーザは、データ点のどのレンジがどの分類に属するかを判定することが可能となる。例えばユーザは、警戒、軽度警戒、危険、軽度危険、正常、及び若干異常の各レベルに関して各値を入力することが可能となる。次いでこれらのデータ点は、ユーザ指定のレンジに従った対応する色相で表示されることになる。
【００２８】
本システムはさらに、ユーザが表示の細分性を増加または減少できるように構成することができる。ユーザは細分性のレベルを入力することができ、またディスプレイは各色相に関してより広いまたはより狭い多種多様な濃淡を用いて特異性を大きくしたり小さくして重要性または重篤性のレベルを指示することになる。ユーザがより低レベルの細分性を希望する場合、ユーザはこの選好を指示することになり、各色相に関する濃淡はより少なくなる。ユーザがより高レベルの細分性を希望する場合、ユーザはこの選好を指示することになり、各色相に関する濃淡をより多くなる。
【００２９】
別法として、赤色、緑色及び黄色以外の色相を利用することも可能である。本システムは、上で言及したレベル以外のレベルを示すためにユーザが追加の色相を付加できるように構成することが可能である。ユーザはこうした別の色相を用い、これら別の色相をどのデータ点に使用するかを入力することも可能である。次いでこのデータ点は、様々な濃淡が様々なレベルを指示するような代替的な色相を用いて表示されることになる。ユーザはさらに、上で検討したような別の色相及び細分性レベル向けのレンジを入力することも可能である。
【００３０】
データ点はディスプレイ上でカラム小見出しの下に編成することが可能である。例えば心臓科に関するデータ点をあるカラム小見出しの下におき、一方投薬科に関するデータ点を別のカラム小見出しの下におくことが可能である。これらのカラム小見出しは、具体的なユーザに関連するメタデータを表示するようにユーザ別に構成可能とすることができる。これによってユーザは、あるカラムの下にあるデータ点を迅速に一目で把握することができる。これを実施し得る一方法はロールオーバー機能を用いた方法である。ロールオーバー機能は、ユーザがあるカラム小見出しの上でカーソルを動かすと、そのカラム小見出しに関してさらに多くのデータが提示されることになる。
【００３１】
カラム小見出しはさらに、各カラム小見出しに関連する動的なキーストロークまたは指定のドロップダウンメニューを介してデータ点をフィルタリングすることも可能である。これによってユーザは、ある特定のカラム小見出し色相の下にデータ点をソートすることや、色相に従ってデータ点を検索することができる。ドロップダウンメニューはユーザに対して、重要性が最高から最低までの並べ方、あるいはこの逆の並べ方についての選択肢を提供することもできる。ユーザはカーソルを用いることによって、所望のレイアウトを選択することが可能であり、またデータ点はこれに従ってソートされることになる。ある組み合わせのキーを押す動的なキーストロークを用いることによって、あるカラム小見出しの下にあるデータ点のユーザによるソートを可能にさせることができる。
【００３２】
本発明の別の実施形態ではインタフェース１３０は、危険レベルのすなわち極めて重要なデータ点を特殊なメッセージを用いてユーザ１４０に伝達することがある。インタフェース１３０は、ポップアップウィンドウまたはオーバーレイを表示させること、ユーザ１４０にｅメールするまたは無線呼び出しすること、かつ／または例えばプリントアウト式、表示式及び／または送信式のレポートを作成することがある。
【００３３】
ある種の実施形態では、あるユーザが別のユーザと異なるアクセス機能や修正機能を有することがある。例えばあるスタッフはインタフェース１３０からあるリソース情報にアクセスすることだけが許可されており、一方スーパーバイザーはリソース情報のすべてにアクセスできリソースをアロケーションできることがある。さらにスーパーバイザーは、設定やレンジを変更する能力を有することがあり、一方スタッフは情報を観察するだけのことがある。
【００３４】
図４は、本発明の一実施形態による重要性または重篤性のレベルに従って情報を表示する方法の流れ図を表している。本方法は、以下でより詳細に記載するような工程を含む。先ず工程４１０では、情報システムが照会を受ける。第２に工程４２０では、照会されたシステムからのデータが集約される。第３に工程４３０では、このデータ点が表示される。第４に工程４４０では、各データ点ごとに重篤性または重要性のレベルが決定される。最後に工程４５０では、この重篤性または重要性のレベルに従ってデータ点が様々な濃淡で色付けされる。
【００３５】
第１の工程４１０では、情報システムが照会を受ける。この情報システムはデータベース、多種データベースあるいは別のデータ格納手段とすることができる。この情報システムは情報またはデータ点を包含または保存している。データ点は、ある部科全体、ある部科の一部、あるいは関連施設内部の多数の部科に関することがある。医療施設における例示的な部科には、放射線科、心臓科、薬剤科、投薬科、腫瘍科、小児科、物理療法科及び検査科情報が含まれる。これらのデータベース内に保存されるデータ点の例には、患者のバイタル情報、投薬、検査結果及び医療履歴を含むことが可能である。
【００３６】
情報システムに対する照会によって、データ点を集約する次の工程４２０に移行することが可能となる。上で説明したように、多種データベースからのデータ点を集約することによって、医療専門家はある患者に関するデータ点を編集し、当該患者の情報のすべてを容易に利用可能な状態にすることが可能となる。この情報システムに対する照会及び集約は、ユーザのニーズに応じて「プッシュ」モデルとすることも「プル」モデルとすることも可能である。
【００３７】
次の工程４３０では、集約したデータ点が表示される。ディスプレイはデータ点のある部分または全部を提示することがある。このデータ点は迅速な解釈及び理解のために表示される。可能な表示デバイスには、コンピュータ画面、ポータブルコンピュータ、タブレットコンピュータ、及び／または個人用携帯情報機器（ＰＤＡ）が含まれる。
【００３８】
次の工程４４０では、重要性や重篤性のレベルに従ってデータ点が分類される。これらのデータ点はレンジに分けるようにソートされる。これらのレンジは個々のユーザによって決定されることや、事前設定されることがある。これらのレンジはデータ点に関する重篤性または重要性のレベルを指示している。例えばデータ点は、そのレベルが、若干危険、危険、極めて危険、警戒、若干警戒、あるいは正常のどれになるかに従ってソートすることができる。
【００３９】
最終の工程４５０では、重篤性または重要性のレベルに応じてデータ点が色相の様々な濃淡で色付けされる。この色相コード化は、そのデータ点の重篤性または重要性に応じて、赤色、黄色及び緑色などの標示色相に関する様々な濃淡を利用し異なるデータ点を色付けしている。濃淡の明るさや暗さによってそのデータ点の重要性が指示される。例えば、正常なレベルの重篤性または重要性は緑色によって指示することができ、若干低いレベルは明るい緑色で指示することができ、若干高いレベルは暗い緑色で指示することができ、警戒レベルは黄色で指示することができ、軽度警戒レベルは明るい黄色で指示することができ、危険レベルは赤色で指示することができ、軽度危険レベルは明るい赤色で指示することができ、また極度の危険レベルは暗い赤色で指示することができる。
【００４０】
本発明に関する具体的な要素、実施形態及び応用について図示し説明してきたが、当業者によれば本開示の趣旨を逸脱することなく特に上述の教示に照らして修正が可能であることから、もちろん本発明はこれらに限定されるものではないことが理解されよう。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００４１】
【図１】本発明の一実施形態による重要性または重篤性のレベルに従って情報を表示するためのシステムを表した図である。
【図２】データ点を色相コード化せずに伝達される患者情報を表した図である。
【図３】本発明の一実施形態に従って患者のバイタルサインに対応した計測値に付与される色相コード化を表した図である。
【図４】本発明の一実施形態による重要性または重篤性のレベルに従って情報を表示する方法の流れ図である。
【符号の説明】
【００４２】
１００  表示システム
１１０  データベース
１２０  ワークリスト、ブラウザ
１３０  インタフェース
１４０  ユーザ
３００  患者情報システム
３１０  患者情報
３２０  正常（緑色）
３３０  危険（赤色）
３４０  低危険（明るい赤色）
３５０  低警戒（明るい黄色）
【図１】
2008210386.tif 000003
【図２】
2008210386.tif 000004
【図３】
2008210386.tif 000005
【図４】
2008210386.tif 000006